(57)【要約】      （修正有）【課題】複雑な構成を要さず、ズボン等のズレ落ちを防止する可能であることは勿論、着用感を格段に高めることができる腰裏布帛の提供。【解決手段】ズボン、又は、スカートなどの下衣における腰部の裏側において、編物、織物、或いは、不織布である布帛、又は／及び、これら布帛を変形させた布帛を用いて、又は、組み合わせて厚地に形成した腰裏布帛１１であって、人体の腰部に対して面接触状態に密着可能とする厚みを確保して形成するとともに、腰裏布帛における厚み方向において、腰部から受ける面圧に応じた弾性力により、腰部に対しての密着が可能な弾性を有して形成した腰裏布帛１１。【選択図】図１
0003112775.tif 000002
【実用新案登録請求の範囲】
【請求項１】
ズボン、又は、スカートなどの下衣における腰部の裏側において、編物、織物、或いは、不織布である布帛、又は／及び、これら布帛を変形させた布帛を用いて、又は、組み合わせて厚地に形成した腰裏布帛であって、
人体の腰部に対して面接触状態に密着可能とする厚みを確保して形成するとともに、上記腰裏布帛における厚み方向において、腰部から受ける面圧に応じた弾性力により、腰部に対しての密着が可能な弾性を有して形成した
腰裏布帛。
【請求項２】
一方の面層と他方の面層とを対峙させて形成するとともに、それら両面層間において、前記厚み方向の弾性を確保すべく、連結糸を往来させることにより、上記一方の面層と上記他方の面層とを連結して一体に形成した
請求項１に記載の腰裏布帛。
【請求項３】
前記一方の面層と前記他方の面層との両面層のうち、腰部当接側の面層には、多数の亀甲形状をした小孔を形成するとともに、上記腰部当接側の面層とは反対側の面層を、上記亀甲形状の小孔よりも細目のメッシュ状に形成した
請求項１、又は、請求項２のうちいずれか１項に記載の腰裏布帛。
【請求項４】
前記一方の面層と前記他方の面層を形成する糸、及び、前記連結糸のうち、少なくとも１つの糸を、伸縮性の有する弾性糸により形成した
請求項２から請求項３のうちいずれか１項に記載の腰裏布帛。
【請求項５】
一方の面層と他方の面層とを、面接触状態に固着して２層構造により形成し、
上記一方の面層を、人体の腰部に対して面接触状態に密着可能とする厚みを有して軟質ウレタンフォームにより形成するとともに、
上記他方の面層を、伸縮性の有する布帛により形成した
請求項１に記載の腰裏布帛。
【請求項６】
一方の面層と他方の面層とを、面接触状態に固着して２層構造により形成し、
上記一方の面層を、人体の腰部に対して面接触状態に密着可能とする厚みを有して不織布により形成するとともに、
上記他方の面層を、伸縮性の有する布帛により形成した
請求項１に記載の腰裏布帛。
【請求項７】
幅方向における下端部沿いに、長さ方向において伸縮性の有する芯材を配した状態で縁取り加工を施した
請求項１から請求項６のうちいずれか１項に記載の腰裏布帛。
【請求項８】
請求項１から請求項７のいずれか１項に記載の腰裏布帛を具備した
下衣。
【考案の詳細な説明】
【技術分野】
【０００１】
この考案は、ズボンやスカートなどの腰相当部における裏側において具備する腰裏布帛に関に関する。
【背景技術】
【０００２】
ズボン、又は、スカートなどには、上記腰裏布帛を取り付けて形成されているものが多数、存在する。上記腰裏布帛は、ズボン等のデザイン性を高めるためや、ズボン等の滑り止めの対策として取り付けられる場合が殆どであった。しかし、ズボン等を着用したときにおける腰部の心地良よさ、つまり、着用者のズボン等の着用感について、充分、検討して形成された腰裏構造は、殆ど存在しないのが現状であるといえる。
【０００３】
例えば、ズボン、又は、スカートなどの滑り止めを目的とした腰裏の一例として、「すべり止めを取り付けた腰裏」が特許文献１において開示されている。
【０００４】
特許文献１に係る腰裏は、ズボン等の腰回りに沿って取り付けられた帯体により形成され、さらに、該帯体には、幅方向の所定部位に、該帯体の長さ方向に沿ってシリコン樹脂で形成した細長い棒状のすべり止めを縫着により取り付けている。
【０００５】
このように形成するため、上記腰裏における、すべり止めに相当する部位には、断面視すると凸部が形成されることになる。  
よって、ズボン等を着用したとき、上記すべり止めにおける凸部が腰回りに当接し、ズボンなどが滑り落ちることを阻止することができる。
【０００６】
しかし、上記すべり止めを形成するシリコン樹脂は、上記帯体と比較して剛性を有し、このような凸状のすべり止めが集中的に腰回りに当接するため、着用者は、ズボン等を着用している間、常に、すべり止めが腰回りに当接する感触を受けることになる。
【０００７】
すなわち、特許文献１に係る腰裏は、すべり止めを如何に防止するかとうことに主眼をおいて形成されたものであり、着用感については、何ら検討がなされていないといわざるを得ない。
【０００８】
また、ズボン等の腰部に対する着用感を向上させることに着目した文献も中には存在する。  
例えば、着用者の食前、食後におけるウエストサイズの変動に対応させてスラックスの腰部（腰相当部）を伸縮自在に形成した「調節構造」が特許文献２において開示されている。
【０００９】
しかし、上記調節構造は、スラックスの腰部に対して上記調節構造を長さ方向について伸縮自在に形成するために、スラックスの腰部に配するベルトを長さ方向において分離して複数の部材から形成する、さらには、別途、弾性帯体を具備して形成するなどといった必要がある。
【００１０】
つまり、特許文献２に係る「調節構造」は、着用感を向上させるために複雑な構造により形成する必要があるため、製造コストが嵩むなどの問題を有する。
【００１１】
また、上記「調節構造」は、確かに、弾性帯体が伸張して着用者のウエストサイズに対応した長さに調節されるが、だからといって、腰部に対する密着性などの観点などから、必ずしも着用者は、心地のよい着用感が得ることができるとは限らない。
【００１２】
【特許文献１】特開２００１−１１７０９号公報
【特許文献２】特開２００２−２２７００８号公報
【考案の開示】
【考案が解決しようとする課題】
【００１３】
そこで本考案では、複雑な構成を要さず、すべり止め等の機能を具備できることは勿論、着用感を格段に高めることができる腰裏布帛の提供を目的とする。
【課題を解決するための手段】
【００１４】
本考案の腰裏布帛は、ズボン、又は、スカートなどの下衣における腰部の裏側において、編物、織物、或いは、不織布である布帛、又は／及び、これら布帛を変形させた布帛を用いて、又は、組み合わせて厚地に形成した腰裏布帛であって、人体の腰部に対して面接触状態に密着可能とする厚みを確保して形成するとともに、上記腰裏布帛における厚み方向において、腰部から受ける面圧に応じた弾性力により、腰部に対しての密着が可能な弾性を有して形成したことを特徴とする。
【００１５】
また、本考案の腰裏布帛は、一方の面層と他方の面層とを対峙させて形成するとともに、それら両面層間において、上記厚み方向の弾性を確保すべく、連結糸を往来させることにより、上記一方の面層と上記他方の面層とを連結して一体に形成したことが好ましい。
【００１６】
さらに、本考案の腰裏布帛は、上記一方の面層と上記他方の面層との両面層のうち、腰部当接側の面層には、多数の亀甲形状をした小孔を形成するとともに、上記腰部当接側の面層とは反対側の面層を、上記亀甲形状の小孔よりも細目のメッシュ状に形成することができる。
【００１７】
また、本考案の腰裏布帛は、上記一方の面層と上記他方の面層を形成する糸、及び、上記連結糸のうち、少なくとも１つの糸を、伸縮性の有する弾性糸により形成することができる。
【００１８】
また、本考案の腰裏布帛は、一方の面層と他方の面層とを、面接触状態に固着して２層構造により形成し、上記一方の面層を、人体の腰部に対して面接触状態に密着可能とする厚みを有して軟質ウレタンフォームにより形成するとともに、上記他方の面層を、伸縮性の有する布帛により形成することもできる。
【００１９】
さらに、本考案の腰裏布帛は、一方の面層と他方の面層とを、面接触状態に固着して２層構造により形成し、上記一方の面層を、人体の腰部に対して面接触状態に密着可能とする厚みを有して不織布により形成するとともに、上記他方の面層を、伸縮性の有する布帛により形成してもよい。
【００２０】
上記軟質ウレタンフォームは、その内部において気泡が連通し柔らかくて復元力があるものであれば特に限定しないが、特に、ポリエーテル系の発泡ウレタンフォームが好ましい。上記ポリエーテル系の発泡ウレタンフォームは、多岐にわたる原料ブレンドが可能なので、弾性率など幅広い性能のなかから用途に合わせて形成することができる。
【００２１】
また、上記伸縮性の有する布帛は、伸縮性の有する布帛であれば特に限定しないが、例えば、トリコット生地やバイアスカット生地などを採用することができる。
【００２２】
また、本考案の腰裏布帛は、幅方向における下端部沿いに、長さ方向において伸縮性の有する芯材を配した状態で縁取り加工を施することもできる。
【００２３】
本考案には、上述した本考案に係る腰裏布帛を具備した下衣も含む。  
ちなみに、上記下衣は、例えば、ジーンズなど他のズボン、スカート、インナー、スキーウェアなど、少なくとも下半身に履く衣服を示す。
【考案の効果】
【００２４】
請求１に記載の考案によれば、本考案に係る腰裏布帛は、ズボン等を着用したとき、腰部から受ける面圧によって、厚み方向に圧縮されるため、腰部に対して面状に接触することができる。しかも、腰裏布帛は、厚み方向に弾性を有するため、しっかりとした密着力で腰部に密着することができる。  
従って、ズボン等がズレ下がることを防止することができることは、勿論、着用者は、良好な着用感を得ることができる。
【００２５】
請求２に記載の考案によれば、本考案に係る腰裏布帛は、一方の面層と他方の面層との間において、連結糸を往来させることによって、連結して一体に形成している。  
よって、一方の面層と他方の面層との間、すなわち、往来させた連結糸どうしの間には、隙間（間隙）が存在することになる。このため、本考案に係る腰裏布帛を腰部に当接させたとき、夏場においては、該連結糸を往来させた部位に有する空間によって、通気性を確保することができるとともに、湿気や汗を吸水することができる。
【００２６】
これに対して、冬場においては、上記腰裏布帛は、上記連結糸を往来させた部位に有する空間を確保することにより熱の保温効果を有するため、腰部における保温性を確保することができる。
【００２７】
さらに、本考案に係る腰裏布帛は、ズボン等の腰相当部に対して、例えば、縫着するだけで容易に取り付けることができ、複雑な構成を要することもなく形成することができる。
【００２８】
加えて、本考案に係る腰裏布帛は、上述したように厚み方向について弾性を有して形成できるため、ズボン等の腰相当部が不用意に弛緩し難い構成を採ることができる。  
すなわち、本考案に係る腰裏布帛は、ズボン等の腰部の形態が型崩れしないよう保形することができるため、見栄え、質感などを向上させることができ、高級感も醸し出すことができる。
【００２９】
しかも、腰裏布帛の内部には、往来させた弾性糸が存在し、該多数の弾性糸の間には、隙間が存在する。よって、腰裏布帛は厚みを確保して形成しているが、重たくならず、良好な着心地を確保することができる。
【００３０】
請求項４に記載の考案によれば、腰裏布帛における腰部当接側の面層に多数の亀甲状の孔を形成する、すなわち、面層全体をハニカムメッシュ構造により形成することにより、審美性を高めることができるのは、勿論、面層全体の強度も確保することができる。
【００３１】
さらに、上記腰部当接側の面層は、上記構成により形成することで、吸水性、通気性に優れた面層とすることができるため、腰裏布帛の内部へと積極的に水分を吸収させることができる。このため、常に、腰部当接側の面層表面は、さらさらした状態に保つことができ、蒸れなどを防ぐことができる。  
これに対して、腰部当接側の面層とは、反対側の面層を細目のメッシュ状に形成することにより、ある程度の通気性を確保しつつ、腰裏布帛の内部に吸収した汗などの水分がズボン等の生地側に流出してしまうことがないよう格納することができる。よって、常に、ズボン等を清潔な状態に保つことができる。
【００３２】
請求項５、又は、請求項６に係る考案によれば、一方の面層には、厚みを確保して構成するとともに、それぞれ軟質ウレタンフォーム、不織布により形成しているため、ウエストサイズに応じて厚み方向に弾性変形、或いは、柔軟に変形するため、上述した腰裏布帛と同様に、ズボン等がズレ下がることを防止することができることは、勿論、着用者は、良好な着用感を得ることができるという効果を奏することができる。
【００３３】
さらに、上記他方の面層は、伸縮性を有する布帛により形成しているため、腰部の動きに柔軟に対応できる。よって、耐摩耗性を有し、見栄え、質感なども向上させることができ、高級感も醸し出すことができる。
【００３４】
特に、請求項５、又は、請求項６に係る腰裏布帛は、ともに２層構造で構成することにより、３層構造により構成する場合と比較して簡素な構造により構成することができる。このため、腰裏布帛のコストの低減、製造時間の短縮を図ることができる。
【００３５】
請求項７に係る考案によれば、厚み方向の弾性力に加えて、一方の面層と他方の面層にも伸縮性を補助的に具備することができる。これにより、着用者が腰部を屈めたり、走ったりする動作に対応して、腰裏布帛は、その幅方向、長さ方向において伸縮するため、より着用感を向上させることができるとともに、腰部に対応する耐摩耗性も向上させることができる。
【００３６】
請求項８に係る考案によれば、上記腰裏布帛の幅方向における下端部沿いに、長さ方向において伸縮性の有する芯材を配した状態で縁取り加工を施すことにより、本考案に係る腰裏布帛を具備したズボンなどの着用者が、例えば、日常動作において歩行動作、振り返り動作などをする際に、腰部には、腰回りに揺動したり、回転したりする動作が要求される。しかし、このような場合であっても、着用者の動作に支障をきたすことがないよう、下端沿いに配した芯材が長さ方向、つまり、腰回りおいてに伸縮することにより、上述する動作に柔軟に対応することができる。よって、着用時においては、腰裏布帛が腰部に密着している状態となるが、着用者は、良好な着用感を保つことができるとともに、腰裏布帛の下端部に弛緩が生じることもないため、腰部に対しての密着状態を保つことができる。
【００３７】
また、例えば、前屈動作や椅子に着席する動作など腰部が上下方向に伸縮するような動作を繰り返した場合であっても、腰裏布帛の下端部に芯材を配した状態で縁取り加工を施すことにより、該下端部の強度や形態を確保することができる。従って、上述した動作を繰り返すことにより、腰裏布帛の下端部が不用意に折り返ってしまうことや弛緩してしまうことがなく、耐久性も向上することができる。
【考案を実施するための最良の形態】
【００３８】
この考案の一実施形態を、以下図面を用いて説明する。  
図１は、本実施形態に係る腰裏布帛１１を具備して形成したスラックス１０における腰相当部１０ａ、及び、その周辺部位を示す。
【００３９】
上記図１に示したように、本実施形態に係る腰裏布帛１１は、帯状に形成し、上記スラックス１０の腰回りに沿わせて取り付けている。さらに、図２に示したように、上記腰裏布帛１１は、該腰裏布帛１１の幅方向における上下各部位において、スラックス１０の腰相当部１０ａに対して、ミシンにより縫着することにより取り付けている。  
ここで、上記腰裏布帛１１の幅方向の上側部位における縫着を第１縫着部１２ａに設定し、上記腰裏布帛１１の幅方向の下側部位における縫着を第２縫着部１２ｂに設定する。
【００４０】
上記第１縫着部１２ａについては、スラックス１０の腰相当部１０ａに対して、腰裏布帛１１を縫製する際に、腰裏布帛１１と、該腰相当部１０ａとにおける各上端相当部を、対向するよう折り返し、さらに、折り返したことにより形成される各縫い代１３ａ，１３ｂ（折り返し片）どうしを重合させた状態で、腰回りに沿って縫着することにより形成している。  
ちなみに、上記腰裏布帛１１は、上記スラックス１０の腰相当部１０ａに対して下方にずらした位置に取り付けている。
【００４１】
これに対して、上記第２縫着部１２ｂは、上記腰裏布帛１１の幅方向における下部側において、上記腰裏布帛１１をスラックス１０の腰相当部１０ａに直接、対向させた状態で縫着することにより形成している。  
さらに、上記腰裏布帛１１を上記腰相当部１０ａに取り付けたとき、上記腰裏布帛１１の幅方向における、第２縫着部１２ｂに対してさらに下側部位１４は、フラップ状に垂下した状態となる。
【００４２】
また、図３（ａ），（ｂ）に示したように、上記腰裏布帛１１の幅方向における下端部１８には、芯材１９を配した状態で縁取り加工を施している。  
さらに、上記腰裏布帛１１の幅方向における下端部１８において、芯材１９は、ポリエチレン系の樹脂製細糸により、包持された形態となるよう一体に巻きつけながら隠蔽されている。上記芯材１９には、薄い帯状に形成したポリエチレンフィルムを用いているが、長さ方向について伸縮性を有するとともに、ある程度の剛生を有する部材であれば、特に限定しない。
【００４３】
次に、上記腰裏布帛１１の構造について説明する。  
上記腰裏布帛１１は、ダブルラッセル編み機により３次元の立体編物に構成している。詳しくは、上記腰裏布帛１１は、図４（ｂ）に示したように、表地１５と裏地１６とを、概ね４ｍｍ程度の間隔（厚み）を備えて対峙させて形成しているとともに、該表地１５と裏地１６とを連結する連結糸１７を無数往来させることにより連結して一体に形成している。  
ちなみに、上記表地１５は、スラックス１０の腰相当部１０ａに取り付けたとき、腰部に当接する側の面に相当し、上記裏地１６は、スラックス１０の腰相当部１０ａに取り付けたとき、該腰相当部１０ａに重合する側の面に相当する。
【００４４】
上記表地１５、及び、上記裏地１６との間隔、すなわち、上記腰裏布帛１１の厚みは、上述したように、概ね４ｍｍ程度であるが、勿論、４ｍｍ程度に限定せず、例えば、１ｍｍから８ｍｍ程度の間で設定することが好ましいが、スラックス１０着用時において、その着用者の腰部に対して上記腰裏布帛１１が積極的に面接触状態に密着可能とする厚みであれば特に、限定しない。
【００４５】
上記表地１５、上記裏地１６、及び、連結糸１７は、いずれも伸縮性の有するポリウレタン弾性糸（ＰＵＲ（ＰＵ））により形成している。
【００４６】
上記表地１５は、図４（ａ）に示したように、多数の亀甲形状（６角形状、若しくは、ハニカム構造）をした小孔１５ａを、その面全体に網目状に形成している。
【００４７】
これに対して、上記裏地１６は、図４（ｃ）に示したように、格子状をしたメッシュ地で形成するとともに、上記亀甲形状をした小孔１５ａよりも微細な網目で形成している。
【００４８】
本実施形態における腰裏布帛１１は、上述した形態で形成するものとし、以下、上記腰裏布帛１１が奏する作用、効果について説明する。
【００４９】
本実施形態における腰裏布帛１１を具備したスラックス１０が着用されている状態において、腰裏布帛１１は、図５に示したように、着用者の腰部Ａに当接する。このとき、腰部Ａには、着用者のウエストサイズやベルトの締め付け力に応じた面圧を腰裏布帛１１から受ける。逆に、スラックス１０の腰回りに具備した腰裏布帛１１は、面全体が厚みが圧縮される方向に弾性変形する。
【００５０】
具体的に、腰裏布帛１１の内部に配した無数の連結糸１７は、上記腰部Ａに当接することで圧縮力（Ｆ１）を受け、座屈、或いは、収縮することになる。これにより、腰裏布帛１１を厚み方向について復元させようとする弾性力（Ｆ２）が作用する（図５中の１部拡大図参照）。  
この弾性力（Ｆ２）が腰部Ａに密着しようとする力として作用するとともに、腰相当部１０ａにおける腰裏布帛１１は、着用者のウエストサイズ等に応じた適度な密着力（弾性力Ｆ２）で腰部Ａに対して密着することができる。  
しかも、このような密着力を腰裏布帛１１における面全体について作用させることができる。
【００５１】
以上により、スラックス１０が腰部Ａに対してズレ落ちることがなく、着用者は、締め付け感、痛みなどを感じることがなく、ぴたりと当接した良好な感触を得ることができる。
【００５２】
しかも、スラックス１０に上述した腰裏布帛１１を具備した構成を採れば、例えば、スラックス１０の腰相当部における生地自体を伸縮自在に形成するなどといった複雑な構成を要することなく、着用者のウエストサイズに応じたスラックスのウエストサイズを調節可能な構成を実現することができる。
【００５３】
また、上記スラックス１０の着用者は、通常、ベルトを巻いている状態であるため、ベルトにより腰部Ａの通気性は、著しく低下するため、腰部Ａは、蒸れ易くなり、不快感を伴うとともに衛生的でない。
【００５４】
これに対して、本実施形態における腰裏布帛１１を具備した場合、図６（ａ）に示したように、スラックス１０の腰相当部１０ａにおける生地と、腰部Ａとの間において腰裏布帛１１が介在した状態となる。このため、腰部Ａに当接した腰裏布帛１１は、着用者が発汗した汗を積極的に吸収する（図６（ａ）中の１部拡大図参照）。
【００５５】
具体的に、表地１５表面に有する上記多数の亀甲形状をした孔１５ａを通じて汗などの水分Ｂは、腰裏布帛１１の内部に吸収されるため、腰裏布帛１１における表地１５は、常にさらさらした状態に保つことができる。このため、衛生的であるとともに、腰部Ａ近傍における蒸れ等を防ぐことができる。
【００５６】
さらに、ベルトやスラックス１０の生地が存在する側の裏地１６は、その表面に微細な細目のメッシュ地に形成しているため、通気性を確保しつつ、スラックス１０の腰相当部１０ａやベルトの側に汗等の水分Ｂは、腰裏布帛１１の内部に格納した状態にすることができる。
【００５７】
また、腰裏布帛１１の内部に配した無数の連結糸１７どうしの間には、空間が存在している。この空間は、連結糸１７が圧縮により座屈した状態であっても存在するため、この空間を空気が循環することで腰部Ａとスラックス１０の腰相当部１０ａとの間には、通気性も確保することができる。
【００５８】
逆に、冬場においては、腰裏布帛１１の内部において存在する上記空間が蓄熱作用を有するため、腰裏布帛１１は、保温効果を発揮することができる。  
また、図６（ｂ）に示したように、スラックス１０を脱いだ状態においては、
腰裏布帛１１は、もとの厚みに復元し、上記空間は、広くなるため、通気性が向上し、より積極的に水分Ｂを外部に発散させることができる。
【００５９】
ここで、腰裏布帛１１の内部に吸収した水分Ｂは、表面に多数の小孔１５ａを有する表地１５を通じて積極的に蒸発させることができる。さらに、表地１５、及び、裏地１６は、ともに通気性を確保しているため、腰裏布帛１１の内部だけでなく、例えば、スラックスの生地などに付着した臭い成分等を積極的に外側に発散させることができる。  
従って、スラックス１０を、繰り返し着用しても常に衛生的な状態で着用することができる。
【００６０】
さらに、腰裏布帛１１における表地１５、及び、裏地１６は、上述したように、ポリウレタン弾性糸を用いて、それ自体が二軸延伸可能に形成している。このため、本実施形態における腰裏布帛１１を、スラックス１０の腰相当部１０ａに対して、上記第１縫着部１２ａ、及び、上記第２縫着部１２ｂにより一体に取り付けた形成であっても、スラックス１０の腰相当部１０ａに対して長さ方向、幅方向の各方向について、ある程度の範囲で伸縮可能となる。
【００６１】
従って、着用者が前屈する動作や、椅子に着席する動作に応じて表地１５、及び、裏地１６が柔軟に伸縮するため、腰裏布帛１１は、腰部Ａに対して、位置ずれすることがなく、さらに密着した状態を保つことができる。
【００６２】
また、縁取り加工を施した腰裏布帛１１の下端部には、芯材１９を具備しているため、フラップ状の下側部位１４を弛緩し難くすることができる等、下側部位１４、特に、その下端部１８の形態を保持することができる。
【００６３】
本実施形態における腰裏布帛１１は、上述した形態に限定せず、様々な形態により構成することができる。  
例えば、上記腰裏布帛１１における表地１５、裏地１６、又は、連結糸１７を構成する糸には、上述したようにポリウレタン弾性糸に限らず、例えば、弾性糸でない他のポリエステル製の糸などの樹脂製細糸を用いてもよい。
【００６４】
例えば、上記腰裏布帛１１における連結糸１７には、ポリウレタン弾性糸を用いて形成したが、腰部Ａに対する密着力を得ることができる構成であれば、弾性糸ではない例えば、ポリエステル製の糸で構成してもよい。この構成を採る場合、該ポリエステル製の糸が座屈したとき、ポリエステル製の糸自体に有する剛性を活かして、復元力を作用させることができる。この復元力を腰部に密着するための密着力として作用させることができる。
【００６５】
さらに、上記腰裏布帛１１を立体構造に構成する手段としては、本実施形態のように、ダブルラッセル編みに限定せず、例えば、丸編み、たて編み、よこ編みなどの編み方であってもよいが、勿論、編物に限定せず、織物、不織布、或いは、これら布帛を変形させた布帛を用いて、又は、これら布帛を組み合わせて立体構造に構成したものであってもよい。  
その他にも、上記腰裏布帛は、撚糸を用いて形成する、或いは、布帛の状態で撚りをかけて変形し立体構造に構成してもよい。
【００６６】
具体的に、上述した実施例に係る腰裏布帛１１と異なる構成を採る他の実施例に係る腰裏布帛２１，３１の一例を以下に説明する。  
但し、本実施例に係る腰裏布帛２１における、上述した腰裏布帛１１の構成と重複する部分については、同一の符号を付してその説明を省略する。
【００６７】
本実施例に係る腰裏布帛２１，３１は、それぞれ図７、図８に示したように、２層構造により構成している。すなわち、図７に示した腰裏布帛２１、及び、図８に示した腰裏布帛３１は、一方の面層２２，３２と他方の面層２３，３３とを互いに、重合させて一体に構成している。  
ちなみに、上記腰裏布帛２１，３１は、ともに上記一方の面層２２，３２と他方の面層２３，３３とにおける重合部位を樹脂製の接着剤により接着して一体に構成しているが、勿論、このように接着剤を用いた固着方法に限定せず、例えば、熱により溶着して一体に構成してもよい。
【００６８】
また、図７に示した腰裏布帛２１、及び、図８に示した腰裏布帛３１において、上記一方の面層２２，３２を、スラックス１０裏側の腰相当部１０aに取り付けたとき、該腰相当部１０aと対向する側の面層に設定し、上記他方の面層２３，３３を人体の腰部に当接する側の面層に設定する。
【００６９】
ここで、図７に示した腰裏布帛２１は、上記一方の面層２２を、スラックス１０着用時において、人体の腰部に対して面接触状態に密着可能とする厚みを確保してポリエーテル系発泡ウレタンにより形成している。
【００７０】
また、上記他方の面層２３は、ポリウレタン糸とナイロン糸を混紡して編み込んだトリコット生地である。
【００７１】
これに対して、図８に示した腰裏布帛３１は、一方の面層３２をポリエーテル系発泡ウレタンではなく不織布により、人体の腰部に対して面接触状態に密着可能とする厚みを確保して形成している。
【００７２】
また、図８に示した腰裏布帛３１における他方の面層３３は、図７に示した腰裏布帛２１における他方の面層２３と同一の素材、同一の編地で構成している。
【００７３】
上述したように上記腰裏布帛２１、及び、腰裏布帛３１は構成することができ、ともに以下に示す作用、効果を奏することができる。
【００７４】
例えば、上記一方の面層２２，３２は、人体の腰部に対して面接触状態に密着可能とする厚みを確保して形成しているとともに、弾性、伸縮性の有するポリエーテル系発泡ウレタンと不織布により形成しているため、スラックス１０着用時に着用者のウエストサイズに応じて、厚み方向に弾性変形し、腰部に密着することができる。よって、スラックス１０着用者は、良好なフィット感を得ることができる。
【００７５】
また、他方の面層２３，３３は、その表面が緻密な目を構成しているが、通気性を確保できるとともに、汗等の水分を上記一方の面層２２，２３の側に通過させることができる。上記一方の面層２２は、ポリエーテル系発泡ウレタンにより形成し、微細な孔を多数、具備し、上記一方の面層３２は、絡み合う繊維間に空間部を有するため、一方の面層２２，３２側から通過してきた汗等の水分を格納することができる。
【００７６】
その他、腰部との当接側となる他方の面層２３，３３をトリコット生地により構成することにより、上記腰裏布帛２１，３１の幅方向、長さ方向についてもある程度の伸縮性を有するとともに、緻密な目であるため、対摩耗性も向上させることができる。その他にも、見た目、質感等の観点から高級感も醸し出すことができる。
【００７７】
このように、本実施例に係る腰裏布帛２１，３１は、ともに上述した上記腰裏布帛１１と略同様の作用、効果を奏することができる。
【００７８】
特に、本実施例に係る腰裏布帛２１，３１は、２層構造で構成することにより、３層構造と比較して簡素な構造により構成することができ、また、各面層の重合部位を接着剤で重合させて構成することにより、縫製により一体に構成するよりも容易に構成することができる。このため、腰裏布帛２１，３１のコストの低減、製造時間の短縮を図ることができる。
【００７９】
なお、本実施例に係る腰裏布帛２１の一方の面層２２を構成するポリエーテル系発泡ウレタンは、厚み方向に加えて上記腰裏布帛２１の幅方向、長さ方向についても高い伸縮性を有する。そして、ポリエーテル系発泡ウレタンと同様に高い伸縮性の有して構成した他方の面層２３を重合させることで、上記腰裏布帛２１の幅方向、長さ方向についての伸縮性を損なうことがなく、上記腰裏布帛２２全体として高い伸縮性を維持することができる。
【００８０】
また、上記腰裏布帛は、スラックス１０の腰相当部１０ａに対して、縫着により取り付けることに限定せず、接着剤や、テープによる接着や、熱による溶着、さらに、腰相当部１０ａ自体を上記腰裏布帛と同様の機能を具備して形成するなどして形成することができる。
【００８１】
さらに、上記立体構造により構成した腰裏布帛１１は、本実施例のように、スラックス１０に具備することに限定せず、ジーンズなど他のズボンをはじめ、スカート、インナー、スキーウェアなど様々な下衣の腰裏布帛として適用することができる。
【００８２】
その他、上記腰裏布帛１１は、表地１５や裏地１６を構成する糸、又は／及び、連結糸１７に対して、例えば、セラミック粉を含有して遠赤外線効果を発揮可能に構成する、その他、消臭剤などを含有して構成するなど、補助的に他の作用を付加して構成するもよい。
【００８３】
上述の実施形態と、この考案の構成との対応において、この実施形態の表地１５は、この考案の３層構造を構成する一方の面層に対応するとともに、裏地１６は、３層構造を構成する他方の面層に対応し、或いは、この実施形態の表地１５は、この考案の３層構造を構成する他方の面層に対応するとともに、裏地１６は、３層構造を構成する一方の面層に対応するも、
この考案は、上述の実施形態の構成のみに限定されるものではなく、多くの実施の形態を得ることができる。
【図面の簡単な説明】
【００８４】
【図１】本実施形態の腰裏布帛を備えたスラックスの一部を示した外観図。
【図２】本実施形態の腰裏布帛を模式的に示した図１におけるＡ−Ａ断面図。
【図３】図２における領域Ｙを拡大して模式的に示した説明図（ａ）、図１における領域Ｘを一部破断させて拡大して示した説明図（ｂ）。
【図４】本実施形態の腰裏布帛における表面を模式的に示した説明図（ａ）、本実施形態の腰裏布帛の断面構造を模式的に示した説明図（ｂ）、本実施形態の腰裏布帛における裏面を模式的に示した説明図（ｃ）。
【図５】スラックス着用時における本実施形態の腰裏布帛の作用状態を一部拡大して示した作用説明図。
【図６】スラックス着用時における本実施形態の腰裏布帛の作用状態を一部拡大して示した他の作用説明図（ａ）、スラックスを脱いだ状態における本実施形態の腰裏布帛の作用状態を一部拡大して示した作用説明図（ｂ）。
【図７】他の実施例に係る腰裏布帛を一部拡大して模式的に示した図１におけるＡ−Ａ断面図。
【図８】さらに他の実施例に係る腰裏布帛を一部拡大して模式的に示した図１におけるＡ−Ａ断面図。
【符号の説明】
【００８５】
１０…スラックス
１１，２１，３１…腰裏布帛
１５…表地
１６…裏地
１７…連結糸
１５ａ…小孔
１８…下端部
１９…芯材
２２，３２…一方の面層
２３，３３…他方の面層
【図１】
0003112775.tif 000003
【図２】
0003112775.tif 000004
【図３】
0003112775.tif 000005
【図４】
0003112775.tif 000006
【図５】
0003112775.tif 000007
【図６】
0003112775.tif 000008
【図７】
0003112775.tif 000009
【図８】
0003112775.tif 000010